(57)【要約】【課題】  スイッチデバイスによる電流の導通損失を最小化させて回路構成を簡素化させることができるようにしたプラズマディスプレイとそのエネルギー回収方法及び駆動回路が開始される。【解決手段】  本プラズマディスプレイはパネルと、パネルにサステイン電圧を供給するための少なくとも１つの電圧原と、共振現象によりパネルに充電されたエネルギーを回収してパネルの駆動に再使用するためのインダクタと、インダクタとパネルの間に並列接続された第１及び第２スイッチとを具備することを特徴とする。【選択図】図７
2004318161.tif 000002
【特許請求の範囲】
【請求項１】
パネルと、前記パネルにサステイン電圧を供給するための少なくとも１つの電圧原と、共振現象によりパネルに充電されたエネルギーを回収して前記パネルの駆動に再使用するためのインダクタと、前記インダクタと前記パネルの間に並列接続された第１及び第２スイッチとを具備することを特徴とするプラズマディスプレイ。
【請求項２】
前記少なくとも１つの電圧原は第１極性を前記パネルに充電させるための第１電圧原と、前記第１極性と異なる第２極性を前記パネルに充電させるための第２電圧原を具備することを特徴とする請求項１記載のプラズマディスプレイ。
【請求項３】
前記第１電圧原と前記パネルの間に伝導性パスを形成するための第３スイッチと、前記第２電圧原と前記パネルの間に伝導性パスを形成するための第４スイッチをさらに具備することを特徴とする請求項２記載のプラズマディスプレイ。
【請求項４】
前記第１スイッチと前記パネルの間に接続された第１ダイオードと、前記第２スイッチと前記パネルの間に接続された第２ダイオードをさらに具備することを特徴とする請求項１記載のプラズマディスプレイ。
【請求項５】
第１スイッチを利用して第１電圧原とプラズマディスプレイの間に第１電気伝導性パスを形成する段階と、第２スイッチを利用して第２電圧原と前記プラズマディスプレイの間の第２電気伝導性パスを形成する段階と、第３スイッチを利用してインダクタと前記プラズマディスプレイの間に第３電気伝導性パスを形成する段階と、前記第３スイッチに並列接続された第４スイッチを利用して前記インダクタと前記プラズマディスプレイの間に第４電気伝導性パスを形成する段階と、を含むことを特徴とするプラズマディスプレイのエネルギー回収方法。
【請求項６】
前記第３スイッチと前記プラズマディスプレイの間に接続された第１ダイオードを利用して前記プラズマディスプレイからの逆方向電流を遮断して、前記第４スイッチと前記プラズマディスプレイの間に接続された第２ダイオードを利用して前記第４スイッチからの逆方向電流を遮断することを特徴とする請求項５記載のプラズマディスプレイのエネルギー回収方法。
【請求項７】
多数の電極を有し、第１及び第２ノードの間に電極に対応したパネルキャパシタンスを有するディスプレイと、前記第２ノードとそれと異なる第３ノードに連結されたインダクタと、前記第１及び第３ノードの間に連結された第１スイッチと、前記第１及び第２ノードの間に連結された第２スイッチとを有し、前記第１及び第２スイッチは並列に形成されて、 
前記パネルキャパシタンス、前記第２ノード、前記インダクタ、前記第３ノード、第１スイッチ及び第１ノードを経由して形成された第１電流パスと、 
前記パネルキャパシタンス、第１ノード、前記第２スイッチ、前記第３ノード、前記インダクタ及び前記第２ノードを経由して形成された第２電流パスと、を具備することを特徴とするプラズマディスプレイ。
【請求項８】
前記第１及び第２電流パスの方向は反対であることを特徴とする請求項７記載のプラズマディスプレイ。
【請求項９】
前記第１電流パスは第１電位から第２電位を前記パネルキャパシタンスに充電し、前記第２電流パスは前記第１電位から前記第２電位を前記パネルキャパシタに充電することを特徴とする請求項７記載のプラズマディスプレイ。
【請求項１０】
前記パネルキャパシタンスはＬＣ共振周波数に基づいて充電または放電することを特徴とする請求項９記載のプラズマディスプレイ。
【請求項１１】
前記パネルキャパシタンスは非ＬＣ共振周波数に基づいて充電または放電することを特徴とする請求項９記載のプラズマディスプレイ。
【請求項１２】
前記インダクタに流れるエネルギーは前記パネルキャパシタンスの放電前に増加し、前記パネルキャパシタの充電前に減少することを特徴とする請求項１１記載のプラズマディスプレイ。
【請求項１３】
充電及び放電する間、前記パネルキャパシタンスは前記インダクタに充電されたエネルギーがゼロに到逹する前にクランプされることを特徴とする請求項１１記載のプラズマディスプレイ。
【請求項１４】
前記第１電流パスは前記第１スイッチと前記第１ノードの間に結合されたダイオードをさらに具備することを特徴とする請求項７記載のプラズマディスプレイ。
【請求項１５】
前記第２電流パスは前記第１ノードと前記第２スイッチの間に連結されたダイオードをさらに具備することを特徴とする請求項７記載のプラズマディスプレイ。
【請求項１６】
前記第１及び第２ノードの間に連結された第１クランピング回路と、前記第１及び第２ノードの間に連結された第２クランピング回路をさらに具備することを特徴とする請求項７記載のプラズマディスプレイ。
【請求項１７】
前記第１クランピング回路は前記第１ノードと第１伝導性パスを経由して第１電位とに連結された第３スイッチを具備し、前記第２クランピング回路は前記第１ノードと第２伝導性パスを経由して第２電位とに連結された第４スイッチを具備して、前記第１及び第２電位が異なることを特徴とする請求項１６記載のプラズマディスプレイ。
【請求項１８】
前記第１電位は正極性電圧原から供給を受けて、前記第２電位は負極性電圧原から供給受けることを特徴とする請求項１７記載のプラズマディスプレイ。
【請求項１９】
パネル電極と、第１と第２ノードとの間に電極に対応して設けられたパネルキャパシタンスと、前記第２ノードとそれとは異なる第３ノードとに連結されたインダクタと、前記第１ノードと第３ノードとの間に連結された第１スイッチと、前記第１ノードと第３ノードの間に連結された第２スイッチを有するディスプレイパネルとを有し、前記第１、第２スイッチが並列に形成されて、前記パネル電極に連結されたインダクタを通じてディスプレイパネルを駆動する方法において、 
（ａ）前記インダクタを通じて前記パネルキャパシタンスを放電させる初期に、前記パネルキャパシタンス、前記第２ノード、前記インダクタ、前記第３ノード、前記第１スイッチ、前記第１ノードを経由して形成された第１電流パスを通じて前記インダクタの電流が最大に到逹するまで前記インダクタにエネルギーを充電する一方、次に前記インダクタを通じて前記パネルキャパシタンスを充電する間に前記第１電流パスを経由して前記インダクタの電流がゼロに到逹するかゼロに達する前に前記インダクタに充電されたエネルギーをとり除く段階と、 
（ｂ）前記インダクタを通じて前記パネルキャパシタンスを放電させる初期に、前記パネルキャパシタンス、前記第１ノード、前記第２スイッチ、前記第３ノード、前記インダクタ、前記第２ノードを経由して形成された第２電流パスを通じて前記インダクタの電流が最大に到逹するまで前記インダクタにエネルギーを充電し、次に前記インダクタを通じて前記パネルキャパシタンスを充電する間に前記第２電流パスを経由して前記インダクタの電流がゼロに到逹するかゼロに達する前に前記インダクタに充電されたエネルギーをとり除く段階とを含むことを特徴とするプラズマディスプレイのエネルギー回収方法。
【請求項２０】
前記第１ノードに連結された第３スイッチと第１伝導性パスを経由する第１電位とを有する第１クランピング回路により前記（ａ）の段階後に前記パネルキャパシタを前記第１電位に維持させる段階と、前記第１ノードに連結された第４スイッチと第２伝導性パスを経由する第２電位とを有する第２クランピング回路により前記（ｂ）の段階後に前記パネルキャパシタを前記第２電位に維持させる段階をさらに含むことを特徴とする請求項１９記載のプラズマディスプレイのエネルギー回収方法。
【請求項２１】
前記インダクタに充電されたエネルギーの充電及び除去は前記インダクタの電流がゼロに到逹する時ＬＣ共振周波数に基づくことを特徴とする請求項２０記載のプラズマディスプレイのエネルギー回収方法。
【請求項２２】
前記パネルキャパシタンスの充電及び方法は前記インダクタの電流がゼロに到逹する前に前記パネルキャパシタンスをクランピングする前記第１及び第２クランピング回路によりＬＣ共振周波数に基づかないことを特徴とする請求項２０記載のプラズマディスプレイのエネルギー回収方法。
【請求項２３】
前記第１及び第２クランピング回路は前記インダクタの電流がゼロになる前に前記パネルキャパシタンスをクランプすることを特徴とする請求項２２記載のプラズマディスプレイのエネルギー回収方法。
【請求項２４】
前記第２クランピング回路は前記（ａ）の段階の前に前記インダクタにエネルギーを予め充電して、前記第１クランピング回路は前記（ｂ）の段階の前に前記インダクタにエネルギーを予め充電することを特徴とする請求項２２記載のプラズマディスプレイのエネルギー回収方法。
【請求項２５】
パネルの多数のスキャン電極と多数のサステイン電極の少なくともいずれかの間に設けられたパネル内部電極キャパシタと、前記パネル内部電極キャパシタに接続されるとと同時に第１ノードと第２ノードとの間に直列接続された充電／放電回路と、前記パネルキャパシタの両端の端子電圧を第１電圧原電圧レベルと第２電圧原電圧レベルとにクランピングするための第１及び第２スイッチとを有するクランピング回路を具備し、前記第１スイッチが前記第１ノードと前記第１電圧原電圧レベルの間に直列に接続され、前記第２スイッチが前記第１ノードと前記第２電圧原電圧レベルの間に直列接続され、前記内部電極キャパシタが前記第１ノードと第２ノードとに直列接続され、前記充電／放電回路と前記クランピング回路が前記第１及び第２ノードの間に並列連結されており、 
前記充電／放電回路は前記第１ノードと第３ノードの間に並列連結された一対のスイッチと、前記第２及び第３ノードの間に直列接続されたインダクタコイルとを具備することを特徴とするプラズマディスプレイパネルの駆動回路。
【請求項２６】
前記一対のスイッチそれぞれは第１トランジスタとダイオードを具備して、一対のスイッチは異なる電流パスに設けられていることを特徴とする請求項２５記載のプラズマディスプレイパネルの駆動回路。
【請求項２７】
前記内部電極のキャパシタは前記インダクタコイルと前記内部電極のキャパシタのＬＣ共振周波数に基づいて充電／放電することを特徴とする請求項２５記載のプラズマディスプレイパネルの駆動回路。
【請求項２８】
前記内部電極キャパシタは前記インダクタコイルと前記内部電極のキャパシタの非ＬＣ共振周波数に基づいて充電／放電することを特徴とする請求項２５記載のプラズマディスプレイパネルの駆動回路。
【請求項２９】
前記クランピング回路は前記インダクタコイルのエネルギーがゼロになる前に、前記第１及び第２電圧原電圧レベルのいずれかのレベルに前記内部電極キャパシタをクランピングすることを特徴とする請求項２８記載のプラズマディスプレイパネルの駆動回路。
【請求項３０】
前記クランピング回路は前記内部電極キャパシタの充電／放電の前に、前記インダクタコイルのエネルギーを増加させることを特徴とする請求項２９記載のプラズマディスプレイパネルの駆動回路。
【請求項３１】
前記第１及び第２スイッチのそれぞれはトランジスタを含むことを特徴とする請求項２５記載のプラズマディスプレイパネルの駆動回路。
【発明の詳細な説明】
【技術分野】
【０００１】
本発明はプラズマディスプレイパネルのエネルギーを回収する装置と方法に関し、特にスイッチデバイスによる電流の損失を最小化させることができるとともに、そのための回路構成を簡素化させることができるようにしたプラズマディスプレイとそのエネルギー回収方法及び駆動回路に関する。
【背景技術】
【０００２】
最近、陰極線管の短所である重さと嵩を減らすことができる各種フラットパネル・ディスプレイが開発されている。このようなフラットパネル・ディスプレイは液晶表示装置（ＬＣＤ）、電界放出表示装置（ＦＥＤ）、プラズマディスプレイパネル（ＰＤＰ)及びエレクトロルミネセンス（ＥＬ）表示装置などがある。
【０００３】
このうちＰＤＰは気体放電を利用した表示デバイスであって、大型パネルの製作が容易であるという長所がある。通常、ＰＤＰは図１に図示されたように３電極を備え、交流電圧により駆動される３電極交流面放電型ＰＤＰが代表的である。
【０００４】
図１を参照すると、３電極交流面放電型ＰＤＰの放電セルは上部基板１０上に形成させられた第１電極１２Ｙ、第２電極１２Ｚと、下部基板１８上に形成させられたアドレス電極２０Ｘとを備えている。
【０００５】
第１電極１２Ｙと第２電極１２Ｚを並列させて形成させた上部基板１０には上部誘電層１４と保護膜１６が積層される。上部誘電層１４にはプラズマ放電の時に発生する壁電荷が蓄積される。保護膜１６はプラズマ放電の時に発生するスパッタリングによる上部誘電層１４の損傷を防止するとと同時に、二次電子の放出效率を高める役を果たしている。保護膜１６には通常酸化マグネシウム（ＭｇＯ）が利用される。
【０００６】
アドレス電極２０Ｘが形成された下部基板１８上には下部誘電層２２及び隔壁２４が形成されて、下部誘電層２２と隔壁２４表面には螢光体２６が塗布される。アドレス電極２０Ｘは上部電極の第１電極１２Ｙ、第２電極１２Ｚと交差される方向に形成される。隔壁２４はアドレス電極２０Ｘと並行するように形成されて放電により生成された紫外線や可視光が隣接した放電セルにリークするのを防止している。
【０００７】
螢光体２６はプラズマ放電の時発生された紫外線により励起されて赤、緑または青のいずれかの可視光線を発生させる。上／下板と隔壁の間に形成された放電空間にはガス放電のための不活性ガスが注入される。
【０００８】
このような３電極交流面放電型ＰＤＰは１画面の表示が多数のサーブフィールドに分けて駆動される。このように。サブフィールドに分けて駆動するのは階調表現のためであって、各サーブフィールド期間にビデオデータの加重値に比例させた回数の放電を行卯のように構成されている。各サーブフィールドはさらに初期化期間、アドレス期間、サステイン期間及び消去期間に分けて駆動される。
【０００９】
初期化期間は放電セルに均一な壁電荷を形成させる期間で、アドレス期間はビデオデータの論理値にしたがって選択的にアドレス放電を行わせる期間で、サステイン期間はアドレス放電が発生した放電セルの放電を維持させる期間である。消去期間はサステイン期間に発生したサステイン放電を消去する期間である。
【００１０】
このように駆動される交流面放電型ＰＤＰはそのアドレス放電とサステイン放電に数百ボルト以上の高電圧が必要である。したがって、アドレス放電とサステイン放電に必要な駆動電力をより少なくするためにエネルギー回収装置が利用されている。エネルギー回収装置は第１電極１２Ｙと第２電極１２Ｚの間の電圧を回収して次の放電の時の駆動電圧としてその回収された電圧を利用するように構成されている。
【００１１】
Ｗｅｂｅｒ（米国特許第５，０８１，４００号）によりプラズマディスプレイパネルのエネルギー回収装置の１例が提案された。そのエネルギー回収装置について図２を参照して説明する。ここに示されたエネルギー回収装置は中央に配置されているパネルキャパシタＣｐに対して互いに対称的に設けられた２つの回路３０、３２からなっている。ここで、パネルキャパシタＣｐは第１電極Ｙと第２電極Ｚの間に形成される静電容量を等価的に示したものである。第１エネルギー回収装置３０は第１電極Ｙにサステインパルスを供給し、第２エネルギー回収装置３２は第１エネルギー回収装置３０と交互に動作しながら第２電極Ｚにサステインパルスを供給する。
【００１２】
従来のプラズマディスプレイパネルの２つの回路からなるエネルギー回収装置の構成を一方の回路である第１エネルギー回収装置３０を参照して説明する。第１エネルギー回収装置３０はパネルキャパシタＣｐとソースキャパシタＣｓの間に接続されたインダクタＬと、ソースキャパシタＣｓとインダクタＬの間に並列に接続された第１及び第３スイッチＳ１、Ｓ３と、パネルキャパシタＣｐとインダクタＬの間に並列に接続された第２及び第４スイッチＳ２、Ｓ４とを備えている。
【００１３】
第２スイッチＳ２はサステイン電圧原Ｖｓに接続されて、第４スイッチＳ４は基底電圧原ＧＮＤに接続される。ソースキャパシタＣｓがサステイン放電の時パネルキャパシタＣｐに再供給する。このソースキャパシタＣｓにはサステイン電圧原Ｖｓの値の半分にあたるＶｓ／２の電圧が充電される。インダクタＬはソースキャパシタＣｓとともい共振回路を構成している。第１〜第４スイッチＳ１〜Ｓ４は電流の流れを制御する。
【００１４】
第１スイッチと第３スイッチＳ１、Ｓ２は、それぞれインダクタＬとの間に電流が逆方向に流れるのを防止するための第５、第６ダイオードＤ５、Ｄ６が設けられている。
【００１５】
図３は第１エネルギー回収装置の各スイッチのオン／オフのタイミングとパネルキャパシタＣｐの出力波形を示すタイミング及び波形図である。
【００１６】
Ｔ１以前はパネルキャパシタＣｐに０ボルトの電圧が充電されており、ソースキャパシタＣｓにはＶｓ／２の電圧が充電されていると仮定して動作過程を詳細に説明する。
【００１７】
Ｔ１期間には第１スイッチＳ１がターンオンとなりソースキャパシタＣｓから第１スイッチＳ１、インダクタＬを経てパネルキャパシタＣｐに達する電流パスが形成される。この電流パスが形成されると、ソースキャパシタＣｓに充電されたＶｓ／２の電圧がパネルキャパシタＣｐに供給される。その際、インダクタＬとパネルキャパシタＣｐが直列共振回路を形成しているので、パネルキャパシタＣｐにはソースキャパシタＣｓ電圧の２倍の電圧であるＶｓ電圧が充電される。
【００１８】
Ｔ２期間には第２スイッチＳ２もターンオンする。第２スイッチＳ２がターンオンすると、サステイン電圧原Ｖｓの電圧が第１電極Ｙに供給される。第１電極Ｙに供給されるサステイン電圧原Ｖｓの電圧は、パネルキャパシタＣｐの電圧Ｖｃｐがサステイン電圧原Ｖｓ以下に落ちるのを防止してサステイン放電が正常に行なわれるようにする。パネルキャパシタＣｐの電圧はＴ１期間にＶｓまで上昇したので、サステイン放電を起こさせるために外部から供給しなければならない駆動電力は少なくて良い。
【００１９】
Ｔ３期間には第１スイッチＳ１がターンオフになる。この時、第１電極Ｙは期間Ｔ３の間、サステイン電圧原Ｖｓの電圧を維持する。Ｔ４期間には第２スイッチＳ２がターンオフし、同時に第３スイッチＳ３がターンオンする。第３スイッチＳ３がターンオンすると、パネルキャパシタＣｐからインダクタＬ、第３スイッチＳ３を通してソースキャパシタＣｓにつながる電流パスが形成される。したがって、パネルキャパシタＣｐに充電されていた電圧がソースキャパシタＣｓに回収される。この時、ソースキャパシタＣｓにはＶｓ／２の電圧が充電される。
【００２０】
Ｔ５期間には第３スイッチＳ３がターンオフし、同時に第４イッチＳ４がターンオンする。第４スイッチＳ４のターンオンで、パネルキャパシタＣｐと基底電圧原ＧＮＤの間の電流パスが形成されてパネルキャパシタＣｐの電圧Ｖｃｐが０ボルトに下降する。Ｔ６期間にはそのＴ５期間の状態を一定時間維持する。実際には、第１電極Ｙと第２電極Ｚに供給される交流駆動パルスがＴ１〜Ｔ６期間を周期的に繰り返さえす。
【００２１】
一方、第２エネルギー回収装置３２は第１エネルギー回収装置３０と交互に動作して、パネルキャパシタＣｐに駆動電圧を供給する。したがって、パネルキャパシタＣｐには互いに反対の極性にサステインパルス電圧Ｖｓが供給される。このようにパネルキャパシタＣｐに互いに反対の極性を有するサステインパルス電圧Ｖｓが供給されることで放電セルでサステイン放電が起きる。
【００２２】
しかし、このような従来のエネルギー回収装置は第１電極Ｙ側に設置された第１エネルギー回収装置３０と第２電極Ｚ側に設置された第２エネルギー回収装置３２が必要で、それぞれ動作するので多くの回路部品（スイチングデバイスなど）が必要になり、これに伴って製造費用が上昇するという問題がある。同時に、電流パスに設けられた多くのスイッチデバイス（ダイオード、スイッチデバイス、インダクタ）の導通損失によって多くの電力が浪費される。
【００２３】
図４を参照すれば、ＮＥＣ（米国特許第５，６７０，９７４号）により提案されたプラズマディスプレイパネルのエネルギー回収装置が示されている。これにはプラズマディスプレイパネル１の走査電極と維持電極の間に形成される静電容量を等価的に示すパネルキャパシタ４０と、このパネルキャパシタ４０に並列に接続される充放電回路部２、電圧クランプ部３を備えている。特に、充放電回路部２は、パネルキャパシタ４０の放電時に共振電流を発生させるためのコイル８と、２個のスイッチ１２、１３とがパネル１のパネルキャパシタ４０に並列に接続されている。この２個のスイッチ１２、１３はコイル８に対して互いに逆方向の電流を流すスイッチを形成している。これらのスイッチは他のスイッチからゲート端子に供給される駆動入力信号ＩＮ５、ＩＮ６によりそれぞれ制御されるＮチャンネルＦＥＴにより形成されている。この例では、パネルキャパシタ４の一方の電極にスイッチ１２とダイオード１０の直列回路と、スイッチ１３とダイオード１１の直列回路とが接続されている。それぞれのダイオード１０、１１は流れる電流の向きを互いに逆にされ、それぞれ逆方向の電流を阻止するように接続されている。さらに、パネルキャパシタ４０の他方の電極には並列接続されたコイル８と抵抗９の一端が接続される。この並列接続されたコイル８と抵抗９の他端は双方のダイオード１０、１１の接続点に共通に接続されている。上述したパネル１のパネルキャパシタ４０と充放電回路２は並列共振回路を形成している。充放電回路部２のコイル８に並列接続される抵抗９は波形の震動を防止するために設置されたダンピング抵抗である。
【００２４】
電圧クランプ部３はパネル１、充放電回路部２の両側に配置され、第１〜第４スイッチ４、５、６、７から構成されている。電源電圧原ＧＮＤ、−ＶＳの間に直列に接続されている第１、第３スイッチ４、６がパネルキャパシタ４０の一端とそれぞれ接続され、同様に電源電圧原ＧＮＤ、−ＶＳの間に直列に接続されている第２、第４スイッチ６、７がそれぞれパネルキャパシタ４０の他端と接続されている。第１と第２スイッチ４、５がＰチャンネルＦＥＴで、第３と第４スイッチ６、７がＮチャンネルＦＥＴで、スイッチ４、６とスイッチ５、７それぞれはＣＭＯＳ型回路構成に形成されている。
【００２５】
このような、プラズマディスプレイパネルのエネルギー回収装置はパネル１のパネルキャパシタ４０と充放電回路部２のコイル８とで並列共振回路を形成して各スイッチ４、５、６、７それぞれの駆動によりパネルキャパシタ４０の充放電を繰り返して無效電力を減らすようにしている。
【００２６】
図５は図４に図示されたパネルの駆動電圧及び駆動電流波形の波形図である。図５を参照すれば、波形ＩＮ１〜ＩＮ６はそれぞれ図４に図示されたＦＥＴスイッチ１２、１３とスイッチ４、５、６、７を駆動させるための入力波形である。波形ＶＣＰはパネルキャパシタ４０の両端の電圧波形で、波形ＩＬはコイル８に流れる電流波形である。
【００２７】
先に、Ａ'期間の前であるｔ＝０ではパネル１のパネルキャパシタ４０には電荷が充電されていないと仮定して動作過程を詳細に説明する。
【００２８】
Ａ’期間に第１スイッチ４と第４スィッチ７がターンオンする。図６ａに示したように基底電圧原ＧＮＤから第１スイッチ４、パネルキャパシタ４０、第４スイッチ７、逆電圧原−ＶＳにつながる電流パスが形成される。この電流パスが形成されてパネルキャパシタ４０に電荷が充電される。
【００２９】
Ｂ期間にスイッチ１２がターンオンされる。図６ｂに図示されたようにパネルキャパシタ４０の一端、コイル８、ダイオード１０、スイッチ１２、パネルキャパシタ４０の他端につながる電流パスが形成される。この電流パスが形成されてパネルキャパシタ４０からの放電電流がコイル８に供給される。この時、コイル８には逆気電力が発生して共振電流ＩＬが流れ、パネルキャパシタ４０の電流が０（ゼロ）になったときパネルキャパシタ４０に印加される電圧（ＶＣＰ）は最大の逆電圧−ＶＳになる。
【００３０】
パネルキャパシタ４０に最大の逆電圧−ＶＳになった後のＣ期間に第２スイッチ５と第３スイッチ６がターンオンされる。したがって、図６ｃに示したように基底電圧原ＧＮＤ、第２スイッチ５、パネルキャパシタ４０、第３スイッチ６、逆電圧原−ＶＳにつながる電流パスが形成される。この電流パスによってパネルキャパシタ４０の第３スイッチ６の一端が逆電圧−ＶＳにクランプされる。この時、パネルキャパシタ４０の極性はＡ'期間の逆極性である。
【００３１】
Ｄ期間に第２及び第３スイッチ５、６がターンオフされ、スイッチ１３がターンオンされる。これにより、Ｄ期間においては図６ｄに示したようにパネルキャパシタ４０の他端、スイッチ１３、コイル８、パネルキャパシタ４０の一端につながる電流パスが形成される。この電流パスの形成によってパネルキャパシタ４０に充電された電荷がコイル８に放電される。すなわち、Ｂ期間とは逆方向の電流ＩＬが流れる。パネルキャパシタ４０の電圧ＶＣＰが上昇して０になるとコイル８には最大電流が流れる。したがって、パネルキャパシタ４０は逆極性の電圧が再充電される。
【００３２】
コイル８の逆起電力によりパネルキャパシタ４０に逆極性電圧の再充電が終わった後のＡ期間においては、スイッチ１３がターンオフし、図６ｅに示したように、第１、第４スイッチ４、７がターンオンする。これにより、パネルキャパシタ４０の電荷が次のサイクルへ継続する。すなわち、Ａ'からＤ期間まで反復的に動作する。
【００３３】
このＰＤＰのエネルギー回収装置は、パネルキャパシタ４０、コイル８、各スイッチのタイミングを制御した共振動作によりパネルキャパシタ４０の充放電電力を減少させて、次のサイクルまでの間に以前サイクルの無效電力の大部分を回収することができるようになる。
【００３４】
しかし、このＮＥＣ（米国特許第５，６７０，９７４号）から提案されたＰＤＰのエネルギー回収装置は、プラズマディスプレイパネル１の走査電極と維持電極それぞれにエネルギー回収装置とサステイン回路が必要で回路構成が複雑になる。これにより、製造費用が上昇する問題点がある。同時に、ＮＥＣ（米国特許第  ５，６７０，９７４号）から提案されたＰＤＰのエネルギー回収装置は電流パスに多数のスイッチがあり、その導通損失がＷｅｂｅｒ（米国特許第  ５，０８１，４００号）により提案されたエネルギー回収装置に比べて小さいもののスイッチの導通損失により多くの電力を消耗する。
【００３５】
【特許文献１】米国特許第  ５，０８１，４００号
【特許文献２】米国特許第  ５，６７０，９７４号
【発明の開示】
【発明が解決しようとする課題】
【００３６】
したがって、本発明の目的はスイッチデバイスによる電流の導通損失を最小化させることができ、かつ回路構成を簡素化させることができるようにしたプラズマディスプレイとそのエネルギー回収方法と駆動回路を提供することである。
【課題を解決しようとする手段】
【００３７】
目的を達成するために、本発明に係るプラズマディスプレイは、パネルと、そのパネルにサステイン電圧を供給するための少なくとも１つの電圧原と、共振現象によりパネルに充電されたエネルギーを回収してパネルの駆動に再使用するように構成されたインダクタと、インダクタとパネルの間に並列接続された第１及び第２スイッチとを具備することを特徴とする。
【００３８】
本プラズマディスプレイは、さらに、少なくとも１つの電圧原は第１極性でパネルに充電させるための第１電圧原と、第１極性と異なる第２極性でパネルに充電させるための第２電圧原を具備することを特徴とする。
【００３９】
本プラズマディスプレイは、さらに第１電圧原とパネルの間に電導性パスを形成させるための第３スイッチと、第２電圧原とパネルの間に電導性パスを形成するための第４スイッチを具備することを特徴とする。
【００４０】
本プラズマディスプレイは、さらに第１スイッチとパネルの間に接続された第１ダイオードと、第２スイッチとパネルの間に接続された第２ダイオードを具備することを特徴とする。
【００４１】
本発明に係るプラズマディスプレイのエネルギー回収方法は、第１スイッチを利用して第１電圧原とプラズマディスプレイの間に第１電気電導性パスを形成する段階と、第２スイッチを利用して第２電圧原とプラズマディスプレイの間の第２電気電導性パスを形成する段階と、第３スイッチを利用してインダクタとプラズマディスプレイの間に第３電気電導性パスを形成する段階と、第３スイッチに並列接続された第４スイッチを利用してインダクタとプラズマディスプレイの間に第４電気電導性パスを形成する段階を含むことを特徴とする。
【００４２】
本エネルギー回収方法は、さらに第３スイッチとプラズマディスプレイの間に接続された第１ダイオードを利用してプラズマディスプレイからの逆方向電流を遮断して、第４スイッチとプラズマディスプレイの間に接続された第２ダイオードを利用して第４スイッチからの逆方向電流を遮断することを特徴とする。
【００４３】
本発明に係る他の態様のプラズマディスプレイは、多数の電極を有し、第１と第２のノードの間に電極に対応させたパネルキャパシタンスを有するディスプレイと、第２ノードと第３ノードに連結されたインダクタと、第１及び第３ノードの間に連結された第１スイッチと、第１及び第３ノードの間に連結された第２スイッチとを有し、その第１及び第２スイッチは並列に形成されて、パネルキャパシタンス、第２ノード、インダクタ、第３ノード、第１スイッチ、第１ノードを経由して形成された第１電流パスと、パネルキャパシタンス、第１ノード、第２スイッチ、第３ノード、インダクタ、第２ノードを経由して形成された第２電流パスを形成することを特徴とする。
【００４４】
本プラズマディスプレイは第１及び第２電流パスの電流方向は反対であることを特徴とする。
【００４５】
本プラズマディスプレイは、第１電流パスで第１電位から第２電位へとパネルキャパシタンスに充電し、第２電流パスで第１電位から第２電位へとパネルキャパシタに充電することを特徴とする。
【００４６】
本プラズマディスプレイにおけるパネルキャパシタンスはＬＣ共振周波数に基づいて充電または放電することを特徴とする。
【００４７】
本プラズマディスプレイにおけるパネルキャパシタンスは非ＬＣ共振周波数に基づいて充電または放電することを特徴とする。
【００４８】
本プラズマディスプレイにおけるインダクタに流れるエネルギーはパネルキャパシタンスの放電前に増加し、パネルキャパシタンスの充電前に減少することを特徴とする。
【００４９】
本プラズマディスプレイにおいて充電及び放電する間パネルキャパシタンスはインダクタに充電されたエネルギーがゼロに到逹する前にクランプされることを特徴とする。
【００５０】
本プラズマディスプレイにおいて第１電流パスは第１スイッチと第１ノードの間に結合されたダイオードをさらに具備することを特徴とする。
【００５１】
本プラズマディスプレイにおいて第２電流パスは第１ノードと第２スイッチの間に連結されたダイオードをさらに具備することを特徴とする。
【００５２】
本プラズマディスプレイは第１及び第２ノードの間に連結された第１クランピング回路と、第１及び第２ノードの間に連結された第２クランピング回路をさらに具備することを特徴とする。
【００５３】
本プラズマディスプレイにおいて前記第１クランピング回路は前記第１ノードと第１伝導性パスを経由して第１電位に連結された第３スイッチを具備し、前記第２クランピング回路は前記第１ノードと第２伝導性パスを経由して第２電位に連結された第４スイッチを具備して、前記第１及び第２電位が異なることを特徴とする。
【００５４】
本プラズマディスプレイは第１電位が正極性電圧原から供給を受けて、第２電位が負極性電圧原から供給受けることを特徴とする。
【００５５】
本発明に係るプラズマディスプレイのエネルギー回収方法は、パネル電極と、第１及び第２ノードの間に電極に対応して設けられたパネルキャパシタンスと、第２ノード及び第３ノードに連結されたインダクタと、第１及び第３ノードの間に連結された第１スイッチと、第１及び第３ノードの間に連結された第２スイッチを有するディスプレイパネルとを有し、第１及び第２スイッチが並列に形成され、パネル電極に連結されたインダクタを通じてディスプレイパネルを駆動する方法において、（ａ）インダクタを通じてパネルキャパシタンスを放電させる間の初期に、パネルキャパシタンス、第２ノード、インダクタ、第３ノード、第１スイッチ、第１ノードを経由して形成された第１電流パスを通じてインダクタの電流が最大に到逹するまでインダクタにエネルギーを充電し、次にインダクタを通じてパネルキャパシタンスを充電する間に第１電流パスを経由してインダクタの電流がゼロに到逹するかゼロに達する前にインダクタに充電されたエネルギーをとり除く段階と、（ｂ）インダクタを通じてパネルキャパシタンスを放電させる間の初期にパネルキャパシタンス、第１ノード、第２スイッチ、第３ノード、インダクタ、第２ノードを経由して形成された第２電流パスを通じてインダクタの電流が最大に到逹するまでインダクタにエネルギーを充電して、次にインダクタを通じてパネルキャパシタンスを充電する間、第２電流パスを経由してインダクタの電流がゼロに到逹するかゼロに達する前にインダクタに充電されたエネルギーをとり除く段階を含むことを特徴とする。
【００５６】
本回収方法は第１ノードに連結された第３スイッチと第１電導性パスを経由する第１電位とを有する第１クランピング回路により（ａ）の段階後にパネルキャパシタンスを第１電位に維持させる段階と、第１ノードに連結された第４スイッチと第２電導性パスを経由する第２電位とを有する第２クランピング回路により（ｂ）の段階後にパネルキャパシタを第２電位に維持させる段階をさらに含むことを特徴とする。
【００５７】
本回収方法においてインダクタに充電されたエネルギーの充電及び除去はインダクタの電流がゼロに到逹する時ＬＣ共振周波数に基づくことを特徴とする。
【００５８】
本回収方法におけるパネルキャパシタンスの充電及び放電はインダクタの電流がゼロに到逹する前にパネルキャパシタンスをクランピングする第１及び第２クランピング回路によりＬＣ共振周波数に基づかないことを特徴とする。
【００５９】
本回収方法において第１及び第２クランピング回路はインダクタの電流がゼロになる前にパネルキャパシタンスをクランプすることを特徴とする。
【００６０】
本回収方法において第２クランピング回路は（ａ）の段階の前にインダクタにエネルギーを予め充電して、第１クランピング回路は（ｂ）の段階の前にインダクタにエネルギーを予め充電することを特徴とする。
【００６１】
本発明の他の実施態様に係るプラズマディスプレイパネルの駆動回路は、  パネルの多数のスキャン電極と多数のサステイン電極の少なくともいずれかの間に設けられたパネル内部電極キャパシタと、前記パネル内部電極キャパシタに接続されるとと同時に第１ノードと第２ノードとの間に直列接続された充電／放電回路と、前記パネルキャパシタの両端の端子電圧を第１電圧原電圧レベルと第２電圧原電圧レベルとにクランピングするための第１及び第２スイッチとを有するクランピング回路を具備し、前記第１スイッチが前記第１ノードと前記第１電圧原電圧レベルの間に直列に接続され、前記第２スイッチが前記第１ノードと前記第２電圧原電圧レベルの間に直列接続され、前記内部電極キャパシタが前記第１ノードと第２ノードとに直列接続され、前記充電／放電回路と前記クランピング回路が前記第１及び第２ノードの間に並列連結されており、 
前記充電／放電回路は前記第１ノードと第３ノードの間に並列連結された一対のスイッチと、前記第２及び第３ノードの間に直列接続されたインダクタコイルとを具備することを特徴とする。
【００６２】
本駆動回路において上記したスイッチのそれぞれはトランジスタとダイオードを具備して、一対のスイッチは異なる電流パスに設けられていることを特徴とする。
【００６３】
本駆動回路において内部電極キャパシタはインダクタコイルと内部電極キャパシタのＬＣ共振周波数に基づいて充電／放電することを特徴とする。
【００６４】
本駆動回路において内部電極キャパシタはインダクタコイルと内部電極キャパシタの非ＬＣ共振周波数に基づいて充電／放電することを特徴とする。
【００６５】
本駆動回路においてクランピング回路はインダクタコイルのエネルギーがゼロになる前に第１及び第２電圧原電圧レベルのいずれかのレベルに内部電極キャパシタをクランピングすることを特徴とする。
【００６６】
本駆動回路においてクランピング回路は内部電極キャパシタの充電／放電の前にインダクタコイルのエネルギーを増加させることを特徴とする。
【００６７】
本駆動回路において第１及び第２スイッチのそれぞれはトランジスタを含むことを特徴とする。
【発明の效果】
【００６８】
上述したように、本発明に係るプラズマディスプレイとそのエネルギー回収方法及び駆動回路は、サステイン電圧がパネルキャパシタに供給される間にインダクタにエネルギーを充電させて、エネルギー回収の時、インダクタに発生する逆電圧を利用してパネルキャパシタに充電されたエネルギーを回収するとと同時に供給する。これにより、エネルギー回収の時、サステイン波形の上昇及び下降勾配を早くすることができる。
【００６９】
尚、本発明に係るプラズマディスプレイとそのエネルギー回収方法及び駆動回路は、プラズマディスプレイパネルの第１及び第２電極のどちらか一方にだけ構成させることができる長所があり、サステイン電流パス上にスイッチデバイスが１つだけが存在することでスイッチデバイスにより導通損失を最小化することができる。さらに、本発明は４個のスイッチデバイスと２個のダイオードを使うだけであるので消費電力を減少させることができる。
【発明を実施するための最良の形態】
【００７０】
図７を参照すれば、本発明の実施形態に係るプラズマディスプレイパネル（ＰＤＰ)のエネルギー回収装置は、ＰＤＰの第１及び第２電極に等価的に形成されるパネルキャパシタＣｐと、第１極性の電圧＋ＶＳを発生する第１サステイン電圧原＋ＶＳと、第１極性と異なる第２極性の電圧−ＶＳを発生する第２サステイン電圧原−ＶＳと、第１サステイン電圧原＋ＶＳとパネルキャパシタＣｐの一方の電極、すなわち第１電極の間に接続された第１スイッチＱ１と、第２サステイン電圧原−ＶＳとキャパシタの第１電極の間に接続された第２スイッチＱ２と、第１及び第２スイッチＱ１、Ｑ２の間である第１ノードＮ１と第１及び第２電圧原＋ＶＳ、−ＶＳの間の第２ノードＮ２との間に接続されたインダクタＬと、インダクタＬと第１ノードＮ１の間に並列接続された第３及び第４スイッチＱ３、Ｑ４を備えている。第３及び第４スイッチＱ３、Ｑ４にはそれぞれのスイッチに互いに逆方向の電流を流すように第１ダイオードＤ１と第２ダイオードＤ２がそれぞれに接続されている。
【００７１】
第１サステイン電圧原＋ＶＳはパネルキャパシタＣｐに供給する正極性サステイン電圧＋ＶＳを発生させる。第２サステイン電圧原−ＶＳはパネルキャパシタＣｐに供給する負極性サステイン電圧−ＶＳを発生させる。
【００７２】
第１及び第２スイッチＱ１、Ｑ２のそれぞれはパネルキャパシタＣｐの一端、すなわち第１ノード（第１電極）に並列接続される。第３及び第４スイッチＱ３、Ｑ４はインダクタＬと第１ノードＮ１の間に並列に接続されている。それぞれに直接に接続されているダイオードＤ１、Ｄ２によって双方のスイッチに流れる電流の方向が逆になるのは前述の通りである。インダクタＬは第３及び第４スイッチＱ３、Ｑ４を通じてパネルキャパシタＣｐに接続され、パネルキャパシタＣｐとのＬＣ固有共振によりエネルギーを回収して回収されたエネルギーをまたパネキャパシタＣｐに供給する。
【００７３】
このような、第１〜第４スイッチＱ１〜Ｑ４は順次ターンオンされて電流の流れを制御する。このような第１〜第４スイッチＱ１〜Ｑ４のそれぞれには図示のようにダイオードが並列に接続されている。これらのダイオードは第１〜第４スイッチＱ１〜Ｑ４の内部ダイオードとして利用される。尚、これらのダイオードは外部ダイオードとして利用してもよい。これらの第１〜第４スイッチＱ１〜Ｑ４のそれぞれは半導体スイッチデバイス例えば、ＭＯＳＦＥＴ（Metal Oxide Semiconductor Field-Effect Transistor）、ＩＧＢＴ（Insulated Gate Bipolar Transistor）、ＳＣＲ（Silicon-Controlled Rectifier）、ＢＪＴ（Bipolar Junction Transistor）、ＨＥＭＴ（High Electron Mobility Transistor）など適宜のものを使用する。
【００７４】
すでに述べたように、第３スイッチＳ３と第１ノードＮ１の間にはパネルキャパシタＣｐからの逆方向電流を遮断するための第１ダイオードＤ１が接続されて、第４スイッチＳ４と第１ノードＮ１の間には第４スイッチＱ４からの逆方向電流を遮断するための第２ダイオードＤ２が接続されている。
【００７５】
図８は図７に図示されたスイッチのオン／オフタイミングとパネルキャパシタに充電される電圧を示すタイミング及び波形図である。
【００７６】
図８を図７と関連させて本発明の第１実施形態に係るＰＤＰのエネルギー回収装置と回収方法を説明すれば次のようである。
【００７７】
Ｔ０期間においては第１〜第４スイッチＱ１〜Ｑ４中第１スイッチＱ１だけがターンオンする。図９に示したように第１サステイン電圧原＋ＶＳ、第１スイッチＱ１、第１ノードＮ１、パネルキャパシタＣｐ、第２ノードＮ２、第１サステイン電圧原＋ＶＳとつながる電流パスが形成される。これにより、パネルキャパシタＣｐは第１サステイン電圧原＋ＶＳから供給されるサステイン電圧＋ＶＳを充電され、正極性サステイン電圧＋ＶＳを維持する。
【００７８】
Ｔ１期間では第１スイッチＱ１がターンオフし、第４スイッチＱ４だけがターンオンすることで図１０に示したように、パネルキャパシタＣｐから、第１ノードＮ１、第２ダイオードＤ２、第４スイッチＱ４、インダクタＬを経てパネルキャパシタＣｐへ戻る電流パスが形成される。これにより、インダクタＬはパネルキャパシタＣｐとのＬＣ固有共振によりパネルキャパシタＣｐに充電されたエネルギーを回収してパネルキャパシタＣｐに供給する。これにより、パネルキャパシタＣｐの電圧は正極性サステイン電圧＋ＶＳから負極性サステイン電圧−ＶＳに向けて下降する。
【００７９】
Ｔ２期間においては第４スイッチＱ４がターンオフして第２スイッチＱ２だけがターンオンする。したがって、図１１に示したように第２サステイン電圧原−ＶＳ、第２ノードＮ２、パネルキャパシタＣｐ、第１ノードＮ１、第２スイッチＱ２、第２サステイン電圧原−ＶＳにつながる電流パスが形成される。これにより、パネルキャパシタＣｐは第２サステイン電圧原−ＶＳから負極性サステイン電圧−ＶＳの供給を受けて負極性サステイン電圧−ＶＳを維持する。
【００８０】
Ｔ３期間においては第２スイッチＱ２がターンオフして第３スイッチＱ３だけがターンオンする。したがって、図１２に示したように、パネルキャパシタＣｐから、第２ノードＮ２、インダクタＬ、第３スイッチＱ３、第１ダイオードＤ１、第１ノードＮ１を経てパネルキャパシタＣｐに戻る電流パスが形成される。これにより、インダクタＬはパネルキャパシタＣｐとのＬＣ固有共振によりパネルキャパシタＣｐに充電されたエネルギーを回収して、パネルキャパシタＣｐに供給する。これにより、パネルキャパシタＣｐの電圧は負極性サステイン電圧−ＶＳから正極性サステイン電圧＋ＶＳに上昇する。
【００８１】
このような、Ｔ０〜Ｔ３期間が周期的に繰り返されることでパネルキャパシタＣｐには交流サステインパルスＶｃｐが供給される。実際に、プラズマディスプレイパネルの第１電極Ｙと第２電極Ｚに供給される交流駆動パルスＶｃｐは、上述したＴ０〜Ｔ３期間が周期的に繰り返されながら発生する。
【００８２】
このような、本発明の第１実施形態にＰＤＰのエネルギー回収装置と回収方法はインダクタＬとパネルキャパシタＣｐのＬＣ固有共振を利用してパネルキャパシタＣｐにエネルギーを回収して、パネルキャパシタＣｐに供給することになる。これにより、本発明の実施形態に係るＰＤＰのエネルギー回収装置と回収方法は、第１電極Ｙと第２電極Ｚの間、すなわちパネルキャパシタのエネルギーを回収する電流パス上に１つのインダクタと１つのスイッチデバイスのみを配置することになり、半導体デバイスの導通損失とスイチング損失をより少なくすることができる。したがって、本発明の第１実施形態に係るＰＤＰのエネルギー回収装置と回収方法はエネルギー回収の損失を最小化できる。
【００８３】
図１３は図７に図示されたスイッチのオン／オフタイミングとパネルキャパシタに充電される電圧を示すタイミング及び波形図である。
【００８４】
図１３を図７に関連させて本発明の第２実施形態に係るプラズマディスプレイパネルのエネルギー回収装置及び回収方法を説明する。
【００８５】
Ｔ０期間は第１スイッチＱ１だけがターンオンするＴＡ期間と、第１スイッチＱ１オンのままで第４スイッチＱ４がターンオンするＴＢ期間で分けられる。
【００８６】
Ｔ０期間中のＴＡ期間においては第１スイッチＱ１がターンオンしているので図１４に示したように第１サステイン電圧原＋ＶＳ、第１スイッチＱ１、第１ノードＮ１、パネルキャパシタＣｐ、第２ノードＮ２、第１サステイン電圧原＋ＶＳとつながる電流パスが形成される。これにより、パネルキャパシタＣｐは第１サステイン電圧原＋ＶＳから供給されるサテイン電圧＋ＶＳで充電される。
【００８７】
Ｔ０期間のＴＢ期間では第１スイッチＱ１がターンオンした状態で第４スイッチＱ４がターンオンするので、図１５に示したように第１サステイン電圧原＋ＶＳ、第１スイッチＱ１、第１ノードＮ１、第２ダイオードＤ２、第４スイッチＱ４、インダクタＬ、第２ノードＮ２、第１サステイン電圧原＋ＶＳという電流パスが形成される。これにより、パネルキャパシタＣｐに充電されたサステイン電圧＋ＶＳが維持され、インダクタＬには第１サステイン電圧原＋ＶＳからの電流ＩＬが流れる。
【００８８】
Ｔ１期間においては第４スイッチＱ４がターンオン状態を維持し、第１スイッチＱ１がターンオフし、図１６に示したようにインダクタＬ、パネルキャパシタＣｐ、第１ノードＮ１、第２ダイオードＤ２、第４スイッチＱ４、インダクタＬとつながる電流パスが形成される。これにより、インダクタＬはスイッチＱ１がターンオフする時の逆起電力により発生する逆電圧を利用してパネルキャパシタＣｐに充電された電流を回収して供給する。したがって、パネルキャパシタＣｐはインダクタＬから供給される逆電圧により負極性サステイン電圧−ＶＳに下降する。このようにインダクタＬで発生する逆電圧を利用してパネルキャパシタＣｐに充電された電流を回収供給するのでサステイン電圧波形の下降勾配を早くすることができる。
【００８９】
Ｔ２期間は第２スイッチＱ２だけがターンオンするＴＣ期間と、第２、第３スイッチＱ２、Ｑ３がターンオンするＴＤ期間に分けられる。
【００９０】
Ｔ２期間中のＴＣ期間では第２スイッチＱ２がターンオンする。したがって、図１７に示したように第２サステイン電圧原−ＶＳ、第２ノードＮ２、パネルキャパシタＣｐ、第１ノードＮ１、第２スイッチＱ２、第２サステイン電圧原−ＶＳとつながる電流パスが形成される。これにより、パネルキャパシタＣｐは第２サステイン電圧原−ＶＳから負極性サステイン電圧−ＶＳの供給を受けてＴ１期間での負極性サステイン電圧−ＶＳを維持する。
【００９１】
ＴＤ期間では第２スイッチＱ２がターンオンしている状態で第３スイッチＱ３がターンオンするので、図１８に示したように第２サステイン電圧原−ＶＳ、第２ノードＮ２、インダクタＬ、第３スイッチＱ３、第１ダイオードＤ１、第１ノードＮ１、第２スイッチＱ２、第２サステイン電圧原−ＶＳとつながる電流パスが形成される。これにより、パネルキャパシタＣｐに充電された負極性サステイン電圧−ＶＳが維持される。インダクタＬには第２サステイン電圧原−ＶＳからの電流ＩＬが流れ充電される。
【００９２】
Ｔ３期間においては第３スイッチＱ３のターンオン状態を維持し、第２スイッチＱ２がターンオフするので図１９に示したようにインダクタＬ、第３スイッチＱ３、第１ダイオードＤ１、第１ノードＮ１、パネルキャパシタＣｐ、第２ノードＮ２、インダクタＬとつながる電流パスが形成される。これにより、インダクタＬは第２スイッチＱ２がターンオフする時にインダクタに生じる逆起電力により発生した逆電圧を利用してパネルキャパシタＣｐに充電された電流を回収供給する。したがって、パネルキャパシタＣｐはインダクタＬから供給される逆電圧によりサステイン電圧＋ＶＳに上昇する。このようにインダクタＬで生じる逆電圧を利用してパネルキャパシタＣｐに充電された電流を回収して再供給することでサステイン電圧波形の上昇勾配を早くすることができる。
【００９３】
このような、Ｔ０〜Ｔ３期間が周期的に繰り返されてパネルキャパシタＣｐに交流サステインパルスが供給される。実際に、プラズマディスプレイパネルの第１電極Ｙと第２電極Ｚに供給される交流駆動パルスＶｃｐは上述したＴ０〜Ｔ３期間が周期的に繰り返されながら発生する。
【００９４】
なお、上記した実施形態においてはスイッチＱ１、Ｑ２はそれぞれパネルキャパシタＣｐの電位を正負のサステイン電圧＋ＶＳ、−ＶＳにクランプするクランピング回路としての役をも果たしている。
【００９５】
このような、本発明の実施形態に係るプラズマディスプレイとそのエネルギー回収方法及び駆動回路はサステイン電圧＋ＶＳがパネルキャパシタＣｐに供給されている間にインダクタＬにエネルギーを充電させて、エネルギー回収の時に、その充電された逆電圧を利用してパネルキャパシタＣｐに充電されたエネルギーを回収するとと同時に供給するようにしている。これにより、エネルギー回収の時のサステイン波形の上昇及び下降勾配をより早くすることができる。
【００９６】
以上の説明を通じて当業者であれば、本発明の技術思想を一脱しない範囲で多様な変更及び修正ができる。したがって、本発明の技術的範囲は明細書の詳細な説明に記載した内容に限定されるのではなく特許請求の範囲により決められなければならない。
【図面の簡単な説明】
【００９７】
【図１】従来の３電極交流面放電型プラズマディスプレイパネルの例を示す斜視図である。
【図２】プラズマディスプレイパネルのエネルギー回収装置を示す回路図である。
【図３】図２に図示されたスイッチのオン／オフタイミングとパネルキャパシタの出力波形を示すタイミング及び波形図である。
【図４】従来の他のプラズマディスプレイパネルのエネルギー回収装置を示す回路図である。
【図５】図４に図示されたスイッチのオン／オフタイミングとパネルキャパシタの出力波形を示すタイミング及び波形図である。
【図６ａ】図５に図示されたＡ'期間でのスイッチデバイスのオン／オフ状態及び電流パスを示す回路図である。
【図６ｂ】図５に図示されたＢ期間でのスイッチデバイスのオン／オフ状態及び電流パスを示す回路図である。
【図６ｃ】図５に図示されたＣ期間でのスイッチデバイスのオン／オフ状態及び電流パスを示す回路図である。
【図６ｄ】図５に図示されたＤ期間でのスイッチデバイスのオン／オフ状態及び電流パスを示す回路図である。
【図６ｅ】図５に図示されたＡ期間でのスイッチデバイスのオン／オフ状態を示す回路図である。
【図７】本発明の実施形態に係るプラズマディスプレイパネルのエネルギー回収装置を示す回路図である。
【図８】図７に図示された本発明の第１実施形態に係るプラズマディスプレイパネルのエネルギー回収装置において各スイッチのオン／オフタイミングとパネルキャパシタの出力波形を示すタイミング及び波形図である。
【図９】図８に図示されたＴ０期間でのスイッチのオン／オフ状態及び電流パスを示す回路図である。
【図１０】図８に図示されたＴ１期間でのスイッチのオン／オフ状態及び電流パスを示す回路図である。
【図１１】図８に図示されたＴ２期間でのスイッチのオン／オフ状態及び電流パスを示す回路図である。
【図１２】図８に図示されたＴ３期間でのスイッチのオン／オフ状態及び電流パスを示す回路図である。
【図１３】図７に図示された本発明の第２実施形態に係るプラズマディスプレイパネルのエネルギー回収装置において各スイッチのオン／オフタイミングとパネルキャパシタの出力波形を示すタイミング及び波形図である。
【図１４】図１３に図示されたＴ０期間の中、ＴＡ期間でのスイッチのオン／オフ状態及び電流パスを示す回路図である。
【図１５】図１３に図示されたＴ０期間の中、ＴＢ期間でのスイッチのオン／オフ状態及び電流パスを示す回路図である。
【図１６】図１３に図示されたＴ１期間でのスイッチのオン／オフ状態及び電流パスを示す回路図である。
【図１７】図１３に図示されたＴ２期間の中、ＴＣ期間でのスイッチのオン／オフ状態及び電流パスを示す回路図である。
【図１８】図１３に図示されたＴ２期間の中、ＴＤ期間でのスイッチのオン／オフ状態及び電流パスを示す回路図である。
【図１９】図１３に図示されたＴ３期間でのスイッチのオン／オフ状態及び電流パスを示す回路図である。
【符号の説明】
【００９８】
１…プラズマディスプレイパネル、２…充電回路部、３…クランプ部、４、５、６、７…スイッチ、８ …インダクタ、９…抵抗、１２、１３…ＦＥＴ、１０…上部基板、１２Ｙ …第１電極、１２Ｚ…第２電極、１４、２２…誘電体層、１６…保護膜、１８…下部基板、２０Ｘ…アドレス電極、２４…隔壁、２６…螢光体層、３０、３２…エネルギー回収装置、４０…パネルキャパシタ
【図１】
2004318161.tif 000003
【図２】
2004318161.tif 000004
【図３】
2004318161.tif 000005
【図４】
2004318161.tif 000006
【図５】
2004318161.tif 000007
【図６ａ】
2004318161.tif 000008
【図６ｂ】
2004318161.tif 000009
【図６ｃ】
2004318161.tif 000010
【図６ｄ】
2004318161.tif 000011
【図６ｅ】
2004318161.tif 000012
【図７】
2004318161.tif 000013
【図８】
2004318161.tif 000014
【図９】
2004318161.tif 000015
【図１０】
2004318161.tif 000016
【図１１】
2004318161.tif 000017
【図１２】
2004318161.tif 000018
【図１３】
2004318161.tif 000019
【図１４】
2004318161.tif 000020
【図１５】
2004318161.tif 000021
【図１６】
2004318161.tif 000022
【図１７】
2004318161.tif 000023
【図１８】
2004318161.tif 000024
【図１９】
2004318161.tif 000025